(57)【要約】【課題】ユーザが表示パネルに表示されているオブジェクトを容易に移動させられるオブジェクト表示装置を提供する。【解決手段】オブジェクト表示装置１００は、第１の表示パネル１４０にオブジェクトＸを表示させる表示制御手段１１６と、第１の表示パネルを介して第１の表示パネル内の第１の位置Ｙの指定を受け付ける受付手段１１１と、第１の位置がオブジェクトの表示エリア内であるか否かを判断する第１の判断手段１１２と、第１の位置が第１の表示パネル内に予め設定される第１のエリア内であるか否かを判断する第２の判断手段１１３とを備える。表示制御手段１１６は、第１の判断手段が第１の位置が表示エリア内であると判断し、かつ第２の判断手段が第１の位置が第１のエリア内であると判断した場合に、第２の表示パネルにオブジェクトを表示し直す。【選択図】図１２
2010129051.tif 000002
【特許請求の範囲】
【請求項１】
第１および第２の表示パネルと、
前記第１の表示パネルにオブジェクトを表示させる表示制御手段と、
前記第１の表示パネルを介して前記第１の表示パネル内の第１の位置の指定を受け付ける受付手段と、
前記第１の位置が前記オブジェクトの表示エリア内であるか否かを判断する第１の判断手段と、
前記第１の位置が前記第１の表示パネル内に予め設定される第１のエリア内であるか否かを判断する第２の判断手段とを備え、
前記表示制御手段は、前記第１の判断手段が前記第１の位置が前記表示エリア内であると判断し、かつ前記第２の判断手段が前記第１の位置が前記第１のエリア内であると判断した場合に、前記第２の表示パネルに前記オブジェクトを表示し直す、オブジェクト表示装置。
【請求項２】
前記受付手段は、前記第２の表示パネルを介して前記第２の表示パネル内の第２の位置の指定を受け付け、
前記第１の判断手段は、前記第２の位置が前記オブジェクトの表示エリア内であるか否かを判断し、
前記第２の判断手段は、前記第２の位置が前記第２の表示パネル内に予め設定される第２のエリア内であるか否かを判断し、
前記表示制御手段は、前記第１の判断手段が前記第２の位置が前記表示エリア内であると判断し、かつ前記第２の判断手段が前記第２の位置が前記第２のエリア内であると判断した場合に、前記第１の表示パネルに前記オブジェクトを表示し直す、請求項１に記載のオブジェクト表示装置。
【請求項３】
前記オブジェクトが前記第１の表示パネルと前記第２の表示パネルとに亘って表示されているか否かを判断する第３の判断手段をさらに備え、
前記表示制御手段は、前記第３の判断手段が前記オブジェクトが前記第１の表示パネルと前記第２の表示パネルとに亘って表示されていると判断した場合に、前記オブジェクトを表示し直す、請求項１または２に記載のオブジェクト表示装置。
【請求項４】
前記第１の判断手段が前記第１の位置が前記表示エリア内であると判断し、かつ前記第２の判断手段が前記第１の位置が前記第１のエリア内であると判断した場合に、前記第１の位置の指定が解除されたか否かを判断する第４の判断手段をさらに備え、
前記表示制御手段は、前記第４の判断手段が前記第１の位置の指定が解除されたと判断した場合に、前記オブジェクトを表示し直す、請求項１から３のいずれか１項に記載のオブジェクト表示装置。
【請求項５】
前記第１の表示パネルは、
入射光に応じて入力信号を生成する複数の光センサ回路と、
出力信号に応じて前記オブジェクトを表す光を発する複数の画素回路とを含み、
前記受付手段は、前記複数の光センサ回路からの前記入力信号に基づいて前記第１の位置の指定を受け付け、
前記表示制御手段は、前記複数の画素回路に前記出力信号を出力することによって、前記第１の表示パネルに前記オブジェクトを表示させる、請求項１から４のいずれか１項に記載のオブジェクト表示装置。
【請求項６】
第１および第２の表示パネルと演算処理部とを有するオブジェクト表示装置におけるオブジェクト表示方法であって、
前記演算処理部が、前記第１の表示パネルを介して前記第１の表示パネル内の第１の位置の指定を受け付けるステップと、
前記演算処理部が、前記第１の位置が前記オブジェクトの表示エリア内であるか否かを判断するステップと、
前記演算処理部が、前記第１の位置が前記第１の表示パネル内に予め設定される第１のエリア内であるか否かを判断するステップと、
前記演算処理部が、前記第１の位置が前記表示エリア内であると判断し、かつ前記第１の位置が前記第１のエリア内であると判断した場合に、前記第２の表示パネルに前記オブジェクトを表示し直すステップとを備える、オブジェクト表示方法。
【請求項７】
第１および第２の表示パネルと演算処理部とを有するオブジェクト表示装置にオブジェクトを表示させるためのオブジェクト表示プログラムであって、
前記演算処理部に、
前記第１の表示パネルを介して前記第１の表示パネル内の第１の位置の指定を受け付けるステップと、
前記第１の位置が前記オブジェクトの表示エリア内であるか否かを判断するステップと、
前記第１の位置が前記第１の表示パネル内に予め設定される第１のエリア内であるか否かを判断するステップと、
前記第１の位置が前記表示エリア内であると判断し、かつ前記第１の位置が前記第１のエリア内であると判断した場合に、前記第２の表示パネルに前記オブジェクトを表示し直すステップとを実行させる、オブジェクト表示プログラム。
【発明の詳細な説明】
【技術分野】
【０００１】
本発明は、表示パネル上に表示されているアイコンなどのオブジェクトをユーザからの命令に応じて移動させるオブジェクト表示装置、オブジェクト表示方法、およびオブジェクト表示プログラムに関し、特に、第１の表示パネルに表示されているオブジェクトを第２の表示パネルへと移動させることができるオブジェクト表示装置、オブジェクト表示方法、およびオブジェクト表示プログラムに関する。
【背景技術】
【０００２】
アイコンなどのオブジェクトを表示することができる電子機器（オブジェクト表示装置）が知られている。そのようなオブジェクト表示装置の中には、タブレット機能を搭載した表示パネルあるいは光センサを内蔵した表示パネルを有し、当該表示パネルを介してオブジェクトを表示するとともに、当該表示パネルを介してオブジェクトに対する各種命令を受け付けるものがある。
【０００３】
たとえば、特開平６−４４００１号公報（特許文献１）には、表示制御装置が開示されている。特開平６−４４００１号公報（特許文献１）によると、表示装置の表示画面上に表示されたアイコンを座標入力装置のタッチペンによる指示に従って移動させる。所定時間間隔でアイコンの移動方向および移動速度を検出し、移動指示が終了した際すなわちタッチペンがアイコン（タブレット面）から離れた際に、そのときのアイコンの移動速度が所定速度以上であれば、移動方向にさらに所定距離だけ移動させる。
【特許文献１】特開平６−４４００１号公報
【発明の開示】
【発明が解決しようとする課題】
【０００４】
上記のように、表示パネルを介してオブジェクトを表示するとともに当該表示パネルを介して当該オブジェクトに対する各種命令を受け付けるオブジェクト表示装置に関しては、ユーザがオブジェクトを表示パネル上で容易に移動させるための技術が求められている。特に、表示パネルを複数有するオブジェクト表示装置においては、タッチ操作（ドラッグ＆ドロップ操作）などによって表示パネルを超えてオブジェクトを移動させることが困難であるため、第１の表示パネルに表示されているオブジェクトを容易に第２の表示パネルへと移動させるための技術が強く求められている。
【０００５】
本発明は、かかる問題を解決するためになされたものであり、その目的は、表示パネルを複数有する場合において、ユーザが第１の表示パネルに表示されているオブジェクトを容易に第２の表示パネルへと移動させられるオブジェクト表示装置、オブジェクト表示方法、およびオブジェクト表示プログラムを提供することである。
【課題を解決するための手段】
【０００６】
この発明のある局面に従うと、オブジェクト表示装置が提供される。オブジェクト表示装置は、第１および第２の表示パネルと、第１の表示パネルにオブジェクトを表示させる表示制御手段と、第１の表示パネルを介して第１の表示パネル内の第１の位置の指定を受け付ける受付手段と、第１の位置がオブジェクトの表示エリア内であるか否かを判断する第１の判断手段と、第１の位置が第１の表示パネル内に予め設定される第１のエリア内であるか否かを判断する第２の判断手段とを備える。表示制御手段は、第１の判断手段が第１の位置が表示エリア内であると判断し、かつ第２の判断手段が第１の位置が第１のエリア内であると判断した場合に、第２の表示パネルにオブジェクトを表示し直す。
【０００７】
好ましくは、受付手段は、第２の表示パネルを介して第２の表示パネル内の第２の位置の指定を受け付ける。第１の判断手段は、第２の位置がオブジェクトの表示エリア内であるか否かを判断する。第２の判断手段は、第２の位置が第２の表示パネル内に予め設定される第２のエリア内であるか否かを判断する。表示制御手段は、第１の判断手段が第２の位置が表示エリア内であると判断し、かつ第２の判断手段が第２の位置が第２のエリア内であると判断した場合に、第１の表示パネルにオブジェクトを表示し直す。
【０００８】
好ましくは、オブジェクト表示装置は、オブジェクトが第１の表示パネルと第２の表示パネルとに亘って表示されているか否かを判断する第３の判断手段をさらに備える。表示制御手段は、第３の判断手段がオブジェクトが第１の表示パネルと第２の表示パネルとに亘って表示されていると判断した場合に、オブジェクトを表示し直す。
【０００９】
好ましくは、オブジェクト表示装置は、第１の判断手段が第１の位置が表示エリア内であると判断し、かつ第２の判断手段が第１の位置が第１のエリア内であると判断した場合に、第１の位置の指定が解除されたか否かを判断する第４の判断手段をさらに備える。表示制御手段は、第４の判断手段が第１の位置の指定が解除されたと判断した場合に、オブジェクトを表示し直す。
【００１０】
好ましくは、第１の表示パネルは、入射光に応じて入力信号を生成する複数の光センサ回路と、出力信号に応じてオブジェクトを表す光を発する複数の画素回路とを含む。受付手段は、複数の光センサ回路からの入力信号に基づいて第１の位置の指定を受け付ける。表示制御手段は、複数の画素回路に出力信号を出力することによって、第１の表示パネルにオブジェクトを表示させる。
【００１１】
この発明の別の局面に従うと、第１および第２の表示パネルと演算処理部とを有するオブジェクト表示装置におけるオブジェクト表示方法が提供される。オブジェクト表示方法は、演算処理部が、第１の表示パネルを介して第１の表示パネル内の第１の位置の指定を受け付けるステップと、演算処理部が、第１の位置がオブジェクトの表示エリア内であるか否かを判断するステップと、演算処理部が、第１の位置が第１の表示パネル内に予め設定される第１のエリア内であるか否かを判断するステップと、演算処理部が、第１の位置が表示エリア内であると判断し、かつ第１の位置が第１のエリア内であると判断した場合に、第２の表示パネルにオブジェクトを表示し直すステップとを備える。
【００１２】
この発明の別の局面に従うと、第１および第２の表示パネルと演算処理部とを有するオブジェクト表示装置にオブジェクトを表示させるためのオブジェクト表示プログラムが提供される。オブジェクト表示プログラムは、演算処理部に、第１の表示パネルを介して第１の表示パネル内の第１の位置の指定を受け付けるステップと、第１の位置がオブジェクトの表示エリア内であるか否かを判断するステップと、第１の位置が第１の表示パネル内に予め設定される第１のエリア内であるか否かを判断するステップと、第１の位置が表示エリア内であると判断し、かつ第１の位置が第１のエリア内であると判断した場合に、第２の表示パネルにオブジェクトを表示し直すステップとを実行させる。
【発明の効果】
【００１３】
以上のように、本発明によって、表示パネルを複数有するオブジェクト表示装置に関し、ユーザが第１の表示パネルに表示されているオブジェクトを容易に第２の表示パネルへと移動させられるオブジェクト表示装置、オブジェクト表示方法、およびオブジェクト表示プログラムが提供される。
【発明を実施するための最良の形態】
【００１４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１５】
［実施の形態１］
＜電子機器１００の全体構成＞
まず、本実施の形態に係るオブジェクト表示装置の一例である電子機器１００の全体構成について説明する。本実施の形態においては、画像ファイルや文書ファイルなどを示すアイコンを、表示パネル上に表示されるオブジェクトの一例として説明する。ただし、表示パネル上に表示されるオブジェクトは、各種アプリケーション用のウィンドウなどであってもよい。
【００１６】
図１は、本実施の形態に係る電子機器１００の動作概要を示す第１の概略図である。より詳細には、図１（Ａ）はユーザが第１の表示パネル１４０上のアイコンＸを選択したときの電子機器１００を示すイメージ図であり、図１（Ｂ）はユーザが第１の表示パネル１４０内でアイコンＸを所定エリア内へ移動させたときの電子機器１００を示すイメージ図であり、図１（Ｃ）は第２の表示パネル２４０がアイコンＸを表示し直したときの電子機器１００を示すイメージ図である。
【００１７】
図１（Ａ）から図１（Ｃ）を参照して、電子機器１００は、第１の筐体１００Ａと第２の筐体１００Ｂとを含む。第１の筐体１００Ａと第２の筐体１００Ｂとは、ヒンジ１００Ｃにより折畳み可能に接続されている。第１の筐体１００Ａは、第１の光センサ内蔵液晶パネル１４０（以下、第１の表示パネル１４０ともいう。）を備える。第２の筐体１００Ｂは、第２の光センサ内蔵液晶パネル２４０（以下、第２の表示パネル２４０ともいう。）を備える。このように、本実施の形態に係る電子機器１００は、光センサ内蔵液晶パネルを２つ備える。なお、電子機器１００は、ＰＤＡ（Personal Digital Assistant）、ノート型のパーソナルコンピュータ、携帯型電話機、電子辞書などの表示機能を有する携帯型デバイスとして構成される。
【００１８】
そして、本実施の形態に係る電子機器１００は、第１および第２の表示パネル１４０，２４０の少なくともいずれかにアイコンＸなどのオブジェクトを表示させる。そして、電子機器１００は、第１および第２の表示パネル１４０，２４０を介してユーザからオブジェクトに対する各種命令を受け付ける。たとえば、電子機器１００は、第１の表示パネル１４０に表示されているアイコンＸに対する移動命令（ドラッグ＆ドロップ命令）を受け付けて、当該アイコンＸを第１の表示パネル内で移動させたり、当該アイコンＸを第２の表示パネル２４０に表示し直したりする。
【００１９】
＜電子機器１００の動作概要＞
次に、図１（Ａ）から図１（Ｃ）を参照して、本実施の形態に係る電子機器１００の動作概要について説明する。
【００２０】
図１（Ａ）を参照して、まず、ユーザは、自身の指９００や図示しないスタイラスペンなどを介して、本実施の形態に係る電子機器１００の第１の表示パネル１４０に表示されているアイコンＸにタッチする。これによって、アイコンＸが選択（ホールド）された状態となる。
【００２１】
より詳細には、電子機器１００は、第１の表示パネル１４０を介して第１の位置（指定位置Ｙ）の指定を受け付けることにより、指定位置ＹとアイコンＸの表示位置とに基づいてアイコンＸの選択命令を受け付ける。これによって、電子機器１００内においてアイコンＸに対応する選択フラグがＯＮされ、第１の表示パネル１４０が選択されたアイコンＸを他のオブジェクトとは異なる態様にて表示する。たとえば、第１の表示パネル１４０は、選択されたアイコンＸの色を、他の同種のファイルを示すアイコンよりも暗い色あるいは明るい色に変更する。なお、ユーザが、指９００を第１の表示パネル１４０から離すと、アイコンＸの選択状態が解除されてもよいし、他のアイコンが選択されるまで選択状態が継続しても良い。
【００２２】
図１（Ｂ）を参照して、ユーザは、アイコンＸを選択した状態で、すなわち第１の表示パネル１４０に指９００やスタイラスペンを接触させた状態で、指９００やスタイラスペンを第２の表示パネル２４０方向へとスライドさせる。これによって、アイコンＸは第１の表示パネル１４０上を第２の表示パネル２４０方向へと移動する。すなわち、ユーザは、第１の表示パネル１４０内でアイコンＸを自由に移動させる（アイコンＸを自由にドラッグする）ことができる。
【００２３】
指９００が第１の表示パネル１４０の第１のエリア１４０Ｚ（第１の表示パネル１４０の下部）内に位置すると、すなわち指定位置Ｙが第１のエリア１４０Ｚ内に位置すると、図１（Ｃ）に示すように、電子機器１００はアイコンＸを第２の表示パネル２４０に表示し直す。より詳細には、電子機器１００はアイコンＸの表示位置を第２の表示パネル２４０内に設定し直す。
【００２４】
このように、本実施の形態に係る電子機器１００は、第１の表示パネル１４０および第２の表示パネル２４０のいずれか一方に表示されているオブジェクトを、ユーザが容易に他方に移動させることができる。特に、本実施の形態に係る電子機器１００は、ユーザが、他の入力デバイスなどを使用することなく、一本の指９００を用いて第１の表示パネル１４０に表示されているオブジェクトを容易に第２の表示パネル２４０へと移動させることができる。以下、このような機能を実現するための構成について詳述する。
【００２５】
なお、本実施の形態においては、電子機器１００が光センサ内蔵液晶パネル１４０，２４０を有する場合について説明するが、オブジェクト表示装置としての電子機器１００は、通常のタッチパネル型の表示パネルを有するものであってもよい。
【００２６】
＜電子機器１００のハードウェア構成＞
次に、電子機器１００の具体的構成の一態様について説明する。図２は、電子機器１００のハードウェア構成を表わすブロック図である。図２を参照して、電子機器１００は、主たる構成要素として、本体装置１０１と、第１の表示装置１０２と、第２の表示装置１０３とを含む。
【００２７】
本体装置１０１は、ＣＰＵ（Central Processing Unit）１１０と、ＲＡＭ（Random Access Memory）１７１と、ＲＯＭ（Read-Only Memory）１７２と、メモリカードリーダライタ１７３と、通信部１７４と、マイク１７５と、スピーカ１７６と、操作キー１７７とを含む。各構成要素は、相互にデータバスＤＢ１によって接続されている。メモリカードリーダライタ１７３には、メモリカード１７３１が装着される。
【００２８】
ＣＰＵ１１０は、プログラムを実行する。操作キー１７７は、電子機器１００の使用者による指示の入力を受ける。ＲＡＭ１７１は、ＣＰＵ１１０によるプログラムの実行により生成されたデータ、または操作キー１７７を介して入力されたデータを揮発的に格納する。ＲＯＭ１７２は、データを不揮発的に格納する。また、ＲＯＭ１７２は、ＥＰＲＯＭ（Erasable Programmable Read-Only Memory）やフラッシュメモリなどのデータの書き込みおよび消去が可能なＲＯＭである。通信部１７４は、図示しない他の電子機器との間で無線通信を行う。なお、図２には図示していないが、電子機器１００が、他の電子機器に有線により接続するためのインターフェイス（ＩＦ）を備える構成としてもよい。
【００２９】
表示装置１０２は、ドライバ１３０と、第１の光センサ内蔵液晶パネル１４０と、内部ＩＦ１７８と、バックライト１７９と、画像処理エンジン１８０とを含む。
【００３０】
ドライバ１３０は、液晶パネル１４０およびバックライト１７９を駆動するための駆動回路である。ドライバ１３０に含まれる各種の駆動回路については、後述する。
【００３１】
液晶パネル１４０は、液晶ディスプレイの機能と光センサの機能とを備えたデバイスである。つまり、液晶パネル１４０は、液晶を用いた画像の表示と、光センサを用いたセンシングとを行うことができる。液晶パネル１４０の詳細については、後述する。
【００３２】
内部ＩＦ（Interface）１７８は、本体装置１０１と表示装置１０２との間で、データの遣り取りを仲介する。
【００３３】
バックライト１７９は、液晶パネル１４０の裏面に配置された光源である。バックライト１７９は、当該裏面に対して均一な光を照射する。
【００３４】
画像処理エンジン１８０は、ドライバ１３０を介して液晶パネル１４０の動作を制御する。ここで、当該制御は、内部ＩＦ１７８を介して本体装置１０１から送られてくる各種データに基づいて行われる。なお、当該各種データは、後述するコマンドを含む。また、画像処理エンジン１８０は、液晶パネル１４０から出力されるデータを処理し、処理したデータを内部ＩＦ１７８を介して本体装置１０１に送る。さらに、画像処理エンジン１８０は、ドライバ制御部１８１と、タイマ１８２と、信号処理部１８３とを含む。
【００３５】
ドライバ制御部１８１は、ドライバ１３０に対して制御信号を送ることによりドライバ１３０の動作を制御する。また、ドライバ制御部１８１は、本体装置１０１から送られてくるコマンドを解析する。そして、ドライバ制御部１８１は、当該解析の結果に基づいた制御信号をドライバ１３０に送る。ドライバ１３０の動作の詳細については、後述する。
【００３６】
タイマ１８２は、時刻情報を生成し、信号処理部１８３に対して時刻情報を送る。
信号処理部１８３は、上記光センサから出力されるデータを受け取る。ここで、上記光センサから出力されるデータはアナログデータであるため、信号処理部１８３は、まず当該アナログデータをデジタルデータに変換する。さらに、信号処理部１８３は、当該デジタルデータに対して、本体装置１０１から送られてくるコマンドの内容に応じたデータ処理を行う。そして、信号処理部１８３は、上記データ処理を行った後のデータと、タイマ１８２から取得した時刻情報とを含んだデータ（以下、応答データと称する）を本体装置１０１に送る。また、信号処理部１８３は、後述するスキャンデータを連続して複数格納できるＲＡＭ（図示せず）を備えている。
【００３７】
上記コマンドは、上記光センサによりセンシングを指示するセンシングコマンドを含む。当該センシングコマンドの詳細および上記応答データの詳細については、後述する（図７〜図９）。
【００３８】
なお、タイマ１８２は、必ずしも画像処理エンジン１８０に備えられている必要はない。たとえば、タイマ１８２は、表示装置１０２内における、画像処理エンジン１８０の外部に備えられていてもよい。あるいは、タイマ１８２は、本体装置１０１に備えられていてもよい。また、マイク１７５およびスピーカ１７６は、電子機器１００が常に備える構成ではなく、電子機器１００の実施例によっては、マイク１７５およびスピーカ１７６のいずれかあるいは両方を有さない構成であってもよい。
【００３９】
ここで、表示装置１０２は、システム液晶を含んでいる。なお、システム液晶とは、液晶パネル１４０の周辺機器を当該液晶パネル１４０のガラス基板上に一体形成することにより得られるデバイスである。本実施の形態では、ドライバ１３０（バックライト１７９を駆動する回路を除く）と、内部ＩＦ１７８と、画像処理エンジン１８０とが、液晶パネル１４０のガラス基板上に一体形成されている。なお、表示装置１０２が、必ずしもシステム液晶を用いて構成されている必要はなく、ドライバ１３０（バックライト１７９を駆動する回路を除く）と、内部ＩＦ１７８と、画像処理エンジン１８０とが、上記ガラス基板以外の基板に構成されていてもよい。
【００４０】
表示装置１０３は、ドライバ２３０と、第２の光センサ内蔵液晶パネル２４０と、内部ＩＦ２７８と、バックライト２７９と、画像処理エンジン２８０とを含む。画像処理エンジン２８０は、ドライバ制御部２８１と、タイマ２８２と、信号処理部２８３とを含む。
【００４１】
表示装置１０３は、表示装置１０２と同様な構成を有する。つまり、ドライバ２３０、液晶パネル２４０、内部ＩＦ２７８、バックライト２７９、および画像処理エンジン２８０は、表示装置１０２における、ドライバ１３０、液晶パネル１４０、内部ＩＦ１７８、バックライト１７９、画像処理エンジン１８０と同じ構成をそれぞれ有する。ドライバ制御部２８１、タイマ２８２、および信号処理部２８３は、表示装置１０２における、ドライバ制御部１８１、タイマ１８２、信号処理部１８３と同じ構成をそれぞれ有する。したがって、表示装置１０３に含まれる各機能ブロックについての説明は、繰り返さない。
【００４２】
ところで、電子機器１００における処理は、各ハードウェアおよびＣＰＵ１１０により実行されるソフトウェアによって実現される。このようなソフトウェアは、ＲＯＭ１７２に予め記憶されている場合がある。また、ソフトウェアは、メモリカード１７３１その他の記憶媒体に格納されて、プログラム製品として流通している場合もある。あるいは、ソフトウェアは、いわゆるインターネットに接続されている情報提供事業者によってダウンロード可能なプログラム製品として提供される場合もある。このようなソフトウェアは、メモリカードリーダライタ１７３その他の読取装置によりその記憶媒体から読み取られて、あるいは、通信部１７４または通信ＩＦ（図示せず）を介してダウンロードされた後、ＲＯＭ１７２に一旦格納される。そのソフトウェアは、ＣＰＵ１１０によってＲＯＭ１７２から読み出され、ＲＡＭ１７１に実行可能なプログラムの形式で格納される。ＣＰＵ１１０は、そのプログラムを実行する。
【００４３】
図２に示される電子機器１００の本体装置１０１を構成する各構成要素は、一般的なものである。したがって、本発明の本質的な部分は、ＲＡＭ１７１、ＲＯＭ１７２、メモリカード１７３１その他の記憶媒体に格納されたソフトウェア、あるいはネットワークを介してダウンロード可能なソフトウェアであるともいえる。なお、電子機器１００の本体装置１０１のハードウェアの動作は周知であるので、詳細な説明は繰り返さない。
【００４４】
なお、記憶媒体としては、メモリカードに限られず、ＣＤ−ＲＯＭ、ＦＤ（Flexible Disk）、ハードディスク、磁気テープ、カセットテープ、光ディスク（ＭＯ（Magnetic Optical Disc）／ＭＤ（Mini Disc）／ＤＶＤ（Digital Versatile Disc））、ＩＣ（Integrated Circuit）カード（メモリカードを除く）、光カード、マスクＲＯＭ、ＥＰＲＯＭ、ＥＥＰＲＯＭ（Electronically Erasable Programmable Read-Only Memory）、フラッシュＲＯＭなどの半導体メモリ等の固定的にプログラムを格納する媒体でもよい。
【００４５】
ここでいうプログラムとは、ＣＰＵにより直接実行可能なプログラムだけでなく、ソースプログラム形式のプログラム、圧縮処理されたプログラム、暗号化されたプログラム等を含む。
【００４６】
＜光センサ内蔵液晶パネル１４０の構成および駆動について＞
次に、液晶パネル１４０の構成と、当該液晶パネル１４０の周辺回路の構成とについて説明する。図３は、液晶パネル１４０の構成と、当該液晶パネル１４０の周辺回路とを示した図である。
【００４７】
図３を参照して、液晶パネル１４０は、画素回路１４１と、光センサ回路１４４と、走査信号線Ｇｉと、データ信号線ＳＲｊと、データ信号線ＳＧｊと、データ信号線ＳＢｊと、センサ信号線ＳＳｊと、センサ信号線ＳＤｊと、読出信号線ＲＷｉと、リセット信号線ＲＳｉとを含む。なお、ｉは、１≦ｉ≦ｍを満たす自然数であり、ｊは１≦ｊ≦ｎを満たす自然数である。
【００４８】
また、図２に示した表示装置１０２のドライバ１３０は、液晶パネル１４０の周辺回路として、走査信号線駆動回路１３１と、データ信号線駆動回路１３２と、光センサ駆動回路１３３と、スイッチ１３４と、アンプ１３５とを含む。
【００４９】
走査信号線駆動回路１３１は、図２に示すドライバ制御部１８１から制御信号ＴＣ１を受ける。そして、走査信号線駆動回路１３１は、制御信号ＴＣ１に基づき、各走査信号線（Ｇ１〜Ｇｍ）に対して、走査信号線Ｇ１から順に予め定められた電圧を印加する。より詳しくは、走査信号線駆動回路１３１は、単位時間毎に走査信号線（Ｇ１〜Ｇｍ）の中から１つの走査信号線を順次選択し、当該選択した走査信号線に対して後述するＴＦＴ（Thin Film Transistor）１４２のゲートをターンオンできるだけの電圧（以下、ハイレベル電圧）を印加する。なお、選択されていない走査信号線に対しては、ハイレベル電圧を印加することなく、ローレベル電圧を印加したままとする。
【００５０】
データ信号線駆動回路１３２は、図２に示すドライバ制御部１８１から画像データ（ＤＲ，ＤＧ，ＤＢ）を受ける。そして、データ信号線駆動回路１３２は、３ｎ個のデータ信号線（ＳＲ１〜ＳＲｎ，ＳＧ１〜ＳＧｎ，ＳＢ１〜ＳＢｎ）に対して、上記単位時間毎に、１行分の画像データに対応する電圧を順次印加する。
【００５１】
なお、ここでは、いわゆる線順次方式と呼ばれる駆動方式を用いて説明したが、駆動方式はこれに限定されるものではない。
【００５２】
画素回路１４１は、１つの画素の輝度（透過率）を設定するための回路である。また、画素回路１４１は、マトリクス状にｍ×ｎ個配されている。より詳しくは、画素回路１４１は、図３の縦方向にｍ個、横方向にｎ個配されている。
【００５３】
画素回路１４１は、Ｒサブピクセル回路１４１ｒと、Ｇサブピクセル回路１４１ｇと、Ｂサブピクセル回路１４１ｂとからなる。これら３つの回路（１４１ｒ，１４１ｇ，１４１ｂ）は、それぞれ、ＴＦＴ１４２と、画素電極と対向電極とからなる１組の電極対１４３と、図示しないコンデンサとを含む。
【００５４】
なお、ｎ型のトランジスタとｐ型のトランジスタとを作れるＣＭＯＳ（Complementary Metal Oxide Semiconductor）を実現できること、キャリア（電子または正孔）の移動速度がアモルファスシリコン薄膜トランジスタ（a-Si TFT）に比べて数百倍早いことなどから、表示装置１０２では、ＴＦＴ１４２として多結晶シリコン薄膜トランジスタ(p-Si TFT)が用いられる。なお、ＴＦＴ１４２は、ｎ型チャネルの電界効果トランジスタであるとして説明する。ただし、ＴＦＴ１４２がｐ型チャネルの電界効果トランジスタであってもよい。
【００５５】
Ｒサブピクセル回路１４１ｒ内のＴＦＴ１４２のソースはデータ信号線ＳＲｊに接続されている。また、当該ＴＦＴ１４２のゲートは走査信号線Ｇｉに接続されている。さらに、当該ＴＦＴ１４２のドレインは、電極対１４３の画素電極に接続される。そして、画素電極と対向電極との間には、液晶が配される。なお、Ｇサブピクセル回路１４１ｇおよびＢサブピクセル回路１４１ｂについても、各ＴＦＴ１４２のソースが接続されるデータ信号線が異なる以外は、Ｒサブピクセル回路１４１ｒと同じ構成である。このため、これら２つの回路（１４１ｇ，１４１ｂ）についての説明は、繰り返さない。
【００５６】
ここで、画素回路１４１における輝度の設定について説明する。まず、走査信号線Ｇｉに上記ハイレベル電圧を印加する。当該ハイレベル電圧の印加により、ＴＦＴ１４２のゲートがターンオンする。このようにＴＦＴ１４２のゲートがターンオンした状態で、各データ信号線（ＳＲｊ，ＳＧｊ，ＳＢｊ）に対して、それぞれ指定された電圧（１画素分の画像データに対応する電圧）を印加する。これにより、当該指定された電圧に基づいた電圧が画素電極に印加される。その結果、画素電極と対向電極との間に電位差が生じる。この電位差に基づいて、液晶が応答し、画素の輝度は予め定められた輝度に設定される。なお、当該電位差は、上記図示しないコンデンサ（補助容量）によって、次のフレーム期間において走査信号線Ｇｉが選択されるまで保持される。
【００５７】
光センサ駆動回路１３３は、図２に示すドライバ制御部１８１から制御信号ＴＣ２を受ける。
【００５８】
そして、光センサ駆動回路１３３は、制御信号ＴＣ２に基づき、単位時間毎にリセット信号線（ＲＳ１〜ＲＳｍ）の中から１つの信号線を順次選択し、当該選択した信号線に対して、予め定められたタイミングで通常よりもハイレベルな電圧ＶＤＤＲを印加する。なお、選択されていないリセット信号線に対しては、選択されたリセット信号線に印加した電圧よりも低い電圧ＶＳＳＲを印加したままとする。たとえば、電圧ＶＤＤＲを０Ｖに、電圧ＶＳＳＲを−５Ｖに設定すればよい。
【００５９】
また、光センサ駆動回路１３３は、制御信号ＴＣ２に基づき、単位時間毎に読出信号線（ＲＷ１〜ＲＷｍ）の中から１つの信号線を順次選択し、当該選択した信号線に対して、予め定められたタイミングで通常よりもハイレベルな電圧ＶＤＤを印加する。なお、選択されていない読出信号線に対しては、上記電圧ＶＳＳＲを印加したままとする。たとえば、ＶＤＤの値を８Ｖに設定すればよい。
【００６０】
なお、電圧ＶＤＤＲを印加するタイミング、および電圧ＶＤＤを印加するタイミングについては、後述する。
【００６１】
光センサ回路１４４は、フォトダイオード１４５と、コンデンサ１４６と、ＴＦＴ１４７とを含む。なお、以下では、ＴＦＴ１４７がｎ型チャネルの電界効果トランジスタであるとして説明する。ただし、ＴＦＴ１４７がｐ型チャネルの電界効果トランジスタであってもよい。
【００６２】
フォトダイオード１４５のアノードは、リセット信号線ＲＳｉに接続されている。一方、フォトダイオード１４５のカソードは、コンデンサ１４６の一方の電極に接続されている。また、コンデンサ１４６の他方の電極は、読出信号線ＲＷｉに接続されている。なお、以下では、フォトダイオード１４５とコンデンサ１４６との接続点をノードＮと称する。
【００６３】
ＴＦＴ１４７のゲートは、ノードＮに接続されている。また、ＴＦＴ１４７のドレインは、センサ信号線ＳＤｊに接続されている。さらに、ＴＦＴ１４７のソースは、センサ信号線ＳＳｊに接続されている。光センサ回路１４４を用いたセンシングの詳細については、後述する。
【００６４】
スイッチ１３４は、センサ信号線（ＳＤ１〜ＳＤｎ）に対して、予め定められた電圧を印加するか否かを切り換えるために設けられたスイッチである。スイッチ１３４の切り換え動作は、光センサ駆動回路１３３により行われる。なお、スイッチ１３４が導通状態となった場合にセンサ信号線（ＳＤ１〜ＳＤｎ）に印加される電圧については、後述する。
【００６５】
アンプ１３５は、各センサ信号線（ＳＳ１〜ＳＳｎ）から出力された電圧を増幅する。なお、増幅された電圧は、図２に示した信号処理部１８３に送られる。
【００６６】
なお、画素回路１４１を用いて画像を液晶パネル１４０に表示させるタイミングと、光センサ回路１４４を用いてセンシングするタイミングとについては、画像処理エンジン１８０が制御する。
【００６７】
図４は、液晶パネル１４０とバックライト１７９との断面図である。図４を参照して、液晶パネル１４０は、アクティブマトリクス基板１５１Ａと、対向基板１５１Ｂと、液晶層１５２とを含む。対向基板１５１Ｂは、アクティブマトリクス基板１５１Ａに対向して配されている。液晶層１５２は、アクティブマトリクス基板１５１Ａと対向基板１５１Ｂとに挟まれている。バックライト１７９は、アクティブマトリクス基板１５１Ａに関し液晶層１５２と反対側に配されている。
【００６８】
アクティブマトリクス基板１５１Ａは、偏光フィルタ１６１と、ガラス基板１６２と、電極対１４３を構成する画素電極１４３ａと、フォトダイオード１４５と、データ信号線１５７と、配向膜１６４とを含む。さらに、図４には示していないが、アクティブマトリクス基板１５１Ａは、図３に示した、コンデンサ１４６と、ＴＦＴ１４７と、ＴＦＴ１４２と、走査信号線Ｇｉとを含む。
【００６９】
また、アクティブマトリクス基板１５１Ａにおいては、バックライト１７９側から、偏光フィルタ１６１、ガラス基板１６２、画素電極１４３ａ、および配向膜１６４が、この順に配されている。フォトダイオード１４５とデータ信号線１５７とは、ガラス基板１６２の液晶層１５２側に形成されている。
【００７０】
対向基板１５１Ｂは、偏光フィルタ１６１と、ガラス基板１６２と、遮光膜１６３と、カラーフィルタ（１５３ｒ，１５３ｇ，１５３ｂ）と、電極対１４３を構成する対向電極１４３ｂと、配向膜１６４とを含む。
【００７１】
また、対向基板１５１Ｂにおいては、液晶層１５２側から、配向膜１６４、対向電極１４３ｂ、カラーフィルタ（１５３ｒ，１５３ｇ，１５３ｂ）、ガラス基板１６２、および偏光フィルタ１６１が、この順に配されている。遮光膜１６３は、カラーフィルタ（１５３ｒ，１５３ｇ，１５３ｂ）と同一の層に形成されている。
【００７２】
カラーフィルタ１５３ｒは、赤色の波長の光を透過させるフィルタである。カラーフィルタ１５３ｇは、緑色の波長の光を透過させるフィルタである。カラーフィルタ１５３ｂは、青色の波長の光を透過させるフィルタである。ここで、フォトダイオード１４５は、カラーフィルタ１５３ｂに対向する位置に配されている。
【００７３】
液晶パネル１４０は、外光やバックライト１７９などの光源により発せられた光を遮ったり又は当該光を透過させたりすることによって、画像の表示をする。具体的には、液晶パネル１４０は、画素電極１４３ａと対向電極１４３ｂとの間に電圧を印加することにより液晶層１５２の液晶分子の向きを変化させ、上記光を遮ったり、あるいは透過させる。ただし、液晶だけでは光を完全に遮ることができないため、特定の偏光方向の光のみを透過させる偏光フィルタ１６１を配置している。
【００７４】
なお、フォトダイオード１４５の位置は、上記の位置に限定されるものではなく、カラーフィルタ１５３ｒに対向する位置やカラーフィルタ１５３ｇに対向する位置に設けることも可能である。
【００７５】
ここで、光センサ回路１４４の動作について説明する。図５は、光センサ回路１４４を動作させる際のタイミングチャートを示した図である。図５において、電圧ＶＩＮＴは、光センサ回路１４４内のノードＮにおける電位を示している。また、電圧ＶＰＩＸは、図３に示したセンサ信号線ＳＳｊからの出力電圧であって、アンプ１３５によって増幅される前の電圧を示している。
【００７６】
以下では、光センサ回路１４４をリセットするためのリセット期間と、光センサ回路１４４を用いて光をセンシングするためのセンシング期間と、センシングした結果を読み出す読出期間とに分けて説明する。
【００７７】
まず、リセット期間について説明する。リセット期間においては、リセット信号線ＲＳｉに印加する電圧を、ローレベル（電圧ＶＳＳＲ）からハイレベル（電圧ＶＤＤＲ）へと瞬間的に切り換える。一方、読出信号線ＲＷｉに印加する電圧は、ローレベル（電圧ＶＳＳＲ）のままとする。このように、リセット信号線ＲＳｉに上記ハイレベルの電圧を印加することにより、フォトダイオード１４５の順方向（アノード側からカソード側）に電流が流れ始める。その結果、ノードＮの電位である電圧ＶＩＮＴは、以下の式（１）で示す値となる。なお、式（１）では、フォトダイオード１４５における順方向の電圧降下量をＶｆとしている。
【００７８】
ＶＩＮＴ＝ＶＳＳＲ＋｜ＶＤＤＲ−ＶＳＳＲ｜−Ｖｆ  …  （１）
それゆえ、ノードＮの電位は、図５に示すとおり、電圧ＶＤＤＲよりもＶｆだけ小さな値となる。
【００７９】
ここで、電圧ＶＩＮＴは、ＴＦＴ１４７のゲートをターンオンさせる閾値以下であるため、センサ信号線ＳＳｊからの出力はない。このため、電圧ＶＰＩＸは変化しない。また、コンデンサ１４６の電極間には、上記電圧ＶＩＮＴ分の差が生じる。このため、コンデンサ１４６には、当該差に応じた電荷が蓄積される。
【００８０】
次に、センシング期間について説明する。リセット期間に続くセンシング期間においては、リセット信号線ＲＳｉに印加する電圧は、ハイレベル（電圧ＶＤＤＲ）からローレベル（電圧ＶＳＳＲ）へと瞬間的に切り換わる。一方、読出信号線ＲＷｉに印加する電圧は、ローレベル（電圧ＶＳＳＲ）のままとする。
【００８１】
このように、リセット信号線ＲＳｉに印加する電圧をローレベルに変化させることにより、ノードＮの電位は、リセット信号線ＲＳｉの電圧および読出信号線ＲＷｉの電圧よりも高くなる。このため、フォトダイオード１４５においては、カソード側の電圧がアノード側の電圧よりも高くなる。つまり、フォトダイオード１４５は、逆バイアスの状態となる。このような逆バイアスの状態において、光源からの光をフォトダイオード１４５が受光すると、フォトダイオード１４５のカソード側からアノード側へと電流が流れ始める。その結果、図５に示すとおり、ノードＮの電位（つまり、電圧ＶＩＮＴ）は時間の経過とともに低くなる。
【００８２】
なお、このように電圧ＶＩＮＴが低下し続けるため、ＴＦＴ１４７のゲートはターンオンした状態にはならない。それゆえ、センサ信号線ＳＳｊからの出力はない。このため、電圧ＶＰＩＸは変化しない。
【００８３】
次に、読出期間について説明する。センシング期間に続く読出期間においては、リセット信号線ＲＳｉに印加する電圧をローレベル（電圧ＶＳＳＲ）のままとする。一方、読出信号線ＲＷｉに印加する電圧は、ローレベル（電圧ＶＳＳＲ）からハイレベル（電圧ＶＤＤ）へと瞬間的に切り換わる。ここで、電圧ＶＤＤは、電圧ＶＤＤＲよりも高い値である。
【００８４】
このように、読出信号線ＲＷｉにハイレベルの電圧を瞬間的に印加することにより、図５に示すとおり、コンデンサ１４６を介してノードＮの電位が引き上げられる。なお、ノードＮの電位の上昇幅は、読出信号線ＲＷｉに印加する電圧に応じた値となる。ここで、ノードＮの電位（つまり、電圧ＶＩＮＴ）が、ＴＦＴ１４７のゲートをターンオンさせる閾値以上まで引き上げられるため、ＴＦＴ１４７のゲートがターンオンする。
【００８５】
この際、ＴＦＴ１４７のドレイン側に接続されたセンサ信号線ＳＤｊ（図３参照）に予め一定電圧を印加しておけば、ＴＦＴ１４７のソース側に接続されたセンサ信号線ＳＳｊからは、図５のＶＰＩＸのグラフに示すとおり、ノードＮの電位に応じた電圧が出力される。
【００８６】
ここで、フォトダイオード１４５が受光する光の量（以下、受光量と称する）が少ないと、図５のＶＩＮＴのグラフに示す直線の傾きが緩やかになる。その結果、電圧ＶＰＩＸは、受光量が多い場合に比べて高くなる。このように、光センサ回路１４４は、フォトダイオード１４５の受光量に応じて、センサ信号線ＳＳｊに出力する電圧の値を変化させる。
【００８７】
ところで、上記においては、ｍ×ｎ個存在する光センサ回路のうち、１つの光センサ回路１４４に着目して、その動作を説明した。以下では、液晶パネル１４０における各光センサ回路の動作について説明する。
【００８８】
まず、光センサ駆動回路１３３は、ｎ個のセンサ信号線（ＳＤ１〜ＳＤｎ）の全てに対して、予め定められた電圧を印加する。次に、光センサ駆動回路１３３は、リセット信号線ＲＳ１に対して、通常よりもハイレベルな電圧ＶＤＤＲを印加する。なお、他のリセット信号線（ＲＳ２〜ＲＳｍ）および読出信号線（ＲＷ１〜ＲＷｍ）については、ローレベルの電圧を印加したままの状態とする。これにより、図３における１行目のｎ個の光センサ回路が、上述したリセット期間に入る。その後、１行目のｎ個の光センサ回路は、センシング期間に入る。さらに、その後、１行目のｎ個の光センサ回路は、読出期間に入る。
【００８９】
なお、ｎ個のセンサ信号線（ＳＤ１〜ＳＤｎ）の全てに対して予め定められた電圧を印加するタイミングは、上記のタイミングに限定されず、少なくとも読出期間前に印加されるタイミングであればよい。
【００９０】
１行目のｎ個の光センサ回路の読出期間が終了すると、光センサ駆動回路１３３は、リセット信号線ＲＳ２に対して、通常よりもハイレベルな電圧ＶＤＤＲを印加する。つまり、２行目のｎ個の光センサ回路のリセット期間に入る。リセット期間が終了すると、２行目のｎ個の光センサ回路は、センシング期間に入り、その後は、読出期間に入る。
【００９１】
以降は、上述した処理が、順に、３行目のｎ個の光センサ回路、４行目のｎ個の光センサ回路、…ｍ行目のｎ個の光センサ回路に対して行われる。その結果、センサ信号線（ＳＳ１〜ＳＳｎ）からは、１行目のセンシング結果、２行目のセンシング結果、…、ｍ行目のセンシング結果が、この順に出力される。
【００９２】
なお、表示装置１０２においては、上記のように行毎にセンシングが行われるとともに、行毎にセンシング結果が液晶パネル１４０から出力される。このため、以下では、液晶パネル１４０から出力される１行目からｍ行目までのｍ行分の電圧に関するデータに対して、信号処理部１８３が上述したデータ処理を行った後のデータを、「スキャンデータ」と称する。つまり、スキャンデータとは、スキャン対象物（たとえば、ユーザの指）をスキャンすることにより得られる画像データを指す。また、当該スキャンデータに基づいて表示された画像を、「スキャン画像」と称する。さらに、以下では、センシングを「スキャン」と称する。
【００９３】
また、上記においては、ｍ×ｎ個の光センサ回路全てを用いてスキャンを行う構成を例に挙げたが、これに限定されるものではない。予め選択された光センサ回路を用いて、液晶パネル１４０の表面の一部の領域に関してスキャンを行うことも構成としてもよい。
【００９４】
以下では、電子機器１００が、両構成のいずれの構成をも採れるものとする。さらに、当該構成間の切り換えは、操作キー１７７を介した入力などに基づく本体装置１０１から送られてくるコマンドにより行われるものとする。なお、液晶パネル１４０の表面の一部の領域に関してスキャンを行う場合、画像処理エンジン１８０が、スキャン対象領域の設定を行う。なお、当該領域の設定を、操作キー１７７を介してユーザが指定できる構成としてもよい。
【００９５】
このように、液晶パネル１４０の表面の一部の領域に関してスキャンを行う場合には、画像の表示に関し、以下のような利用の態様がある。１つ目は、上記一部の領域（以下、スキャン領域と称する）以外の表面の領域において、画像を表示させる態様である。２つ目は、上記スキャン領域以外の表面の領域において、画像を表示させない態様である。いずれの態様とするかは、本体装置１０１から画像処理エンジン１８０に送られてくるコマンドに基づく。
【００９６】
図６は、液晶パネル１４０とバックライト１７９との断面図であって、スキャンの際にフォトダイオード１４５がバックライト１７９からの光を受光する構成を示した図である。
【００９７】
図６を参照して、ユーザの指９００が液晶パネル１４０の表面に接触している場合、バックライト１７９から発せられた光の一部は、当該接触している領域ではユーザの指９００（略平面）にて反射される。そして、フォトダイオード１４５は、当該反射された光を受光する。
【００９８】
また、指９００が接触していない領域においても、バックライト１７９から発せられた光の一部は、ユーザの指９００にて反射される。この場合においても、フォトダイオード１４５は、当該反射された光を受光する。ただし、当該領域においては液晶パネル１４０の表面に指９００が接触していないため、指９００が接触している領域よりも、フォトダイオード１４５の受光量は少なくなる。なお、バックライト１７９から発せられた光のうち、ユーザの指９００に到達しない光のほとんどについては、フォトダイオード１４５は受光できない。
【００９９】
ここで、バックライト１７９を、少なくともセンシング期間においては点灯させておくことにより、光センサ回路１４４は、ユーザの指９００により反射した光の光量に応じた電圧をセンサ信号線ＳＳｊから出力することができる。このように、バックライト１７９の点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０１００】
以上により、表示装置１０２は、指９００によって光が反射されることにより得られる像（以下、反射像とも称する）をスキャンすることができる。
【０１０１】
なお、指９００以外のスキャン対象物としては、スタイラスペンなどが挙げられる。
ところで、本実施の形態においては、電子機器１００の表示装置として液晶パネルを例に挙げて説明しているが、液晶パネルの代わりに有機ＥＬ（Electro-Luminescence）パネルなどの他のパネルを用いてもよい。
【０１０２】
＜データについて＞
次に、センシングコマンドについて説明する。なお、表示装置１０２においては、画像処理エンジン１８０は、センシングコマンドの内容を解析し、当該解析の結果に従ったデータ（つまり、応答データ）を本体装置１０１に送り返す。
【０１０３】
図７は、センシングコマンドの概略構成を示した図である。図７を参照して、センシングコマンドは、ヘッダのデータ領域ＤＡ０１と、タイミングを示すデータ領域ＤＡ０２と、データ種別を示すデータ領域ＤＡ０３と、読取方式を示すデータ領域ＤＡ０４と、画像階調を示すデータ領域ＤＡ０５と、解像度を示すデータ領域ＤＡ０６と、予備のデータ領域ＤＡ０７とを含む。
【０１０４】
図８は、センシングコマンドの各領域におけるデータの値と、当該値が示す意味内容とを示した図である。
【０１０５】
図８を参照して、タイミングを示すデータ領域に「００」が設定されたセンシングコマンドは、画像処理エンジン１８０に対して、そのときのスキャンデータの送信を要求する。つまり、センシングコマンドは、当該センシングコマンドを画像処理エンジン１８０が受信した後に、光センサ回路１４４を用いてスキャンすることにより得られるスキャンデータの送信を要求する。また、タイミングを示すデータ領域に「０１」が設定されたセンシングコマンドは、スキャン結果に変化があったときのスキャンデータの送信を要求する。さらに、タイミングを示すデータ領域に「１０」が設定されたセンシングコマンドは、一定周期毎にスキャンデータの送信を要求する。
【０１０６】
データ種別を示すデータ領域に「００１」が設定されたセンシングコマンドは、部分画像における中心座標の座標値の送信を要求する。また、データ種別を示すデータ領域に「０１０」が設定されたセンシングコマンドは、スキャン結果が変化した部分画像のみの送信を要求する。なお、スキャン結果が変化したとは、前回のスキャン結果と今回のスキャン結果が異なっていることを指す。さらに、データ種別を示すデータ領域に「１００」が設定されたセンシングコマンドは、全体画像の送信を要求する。
【０１０７】
ここで、「全体画像」とは、ｍ×ｎ個の光センサ回路を用いてスキャンした際に、各光センサ回路から出力される電圧に基づいて、画像処理エンジン１８０により生成された画像である。また、「部分画像」とは、全体画像の一部である。部分画像に関して、スキャン結果が変化した部分画像のみの送信を要求する構成とした理由については後述する。
【０１０８】
なお、上記座標値と上記部分画像または上記全体画像とを同時に要求する構成としてもよい。また、液晶パネル１４０の表面の一部の領域に関してスキャンを行う構成の場合には、上記全体画像はスキャンが行われる領域に対応した画像となる。
【０１０９】
読取方式を示すデータ領域に「００」が設定されたセンシングコマンドは、バックライト１７９を点灯してスキャンすることを要求する。また、読取方式を示すデータ領域に「０１」が設定されたセンシングコマンドは、バックライト１７９を消灯してスキャンすることを要求する。なお、バックライト１７９を消灯してスキャンする構成については後述する（図１１）。さらに、読取方式を示すデータ領域に「１０」が設定されたセンシングコマンドは、反射と透過とを併用してスキャンすることを要求する。なお、反射と透過とを併用するとは、バックライト１７９を点灯してスキャンする方式と、バックライトを消灯してスキャンする方式とを切り換えて、スキャン対象物のスキャンを行うことを指す。
【０１１０】
画像階調を示すデータ領域に「００」が設定されたセンシングコマンドは、白黒の２値の画像データを要求する。また、画像階調を示すデータ領域に「０１」が設定されたセンシングコマンドは、多階調の画像データを要求する。さらに、画像階調を示すデータ領域に「１０」が設定されたセンシングコマンドは、ＲＧＢのカラーの画像データを要求する。
【０１１１】
解像度を示すデータ領域に「０」が設定されたセンシングコマンドは、解像度の高い画像データを要求する。また、解像度を示すデータ領域に「１」が設定されたセンシングコマンドは、解像度の低い画像データを要求する。
【０１１２】
また、センシングコマンドには、図７および図８に示したデータ以外に、スキャンを行う領域（光センサ回路１４４を駆動する画素の領域）の指定、スキャンを行うタイミング、バックライト１７９の点灯のタイミングなどが記述されている。
【０１１３】
図９は、応答データの概略構成を示した図である。応答データは、センシングコマンドの内容に応じたデータであって、表示装置１０２の画像処理エンジン１８０が本体装置１０１に対して送信するデータである。
【０１１４】
図９を参照して、応答データは、ヘッダのデータ領域ＤＡ１１と、座標を示すデータ領域ＤＡ１２と、時刻を示すデータ領域ＤＡ１３と、画像を示すデータ領域ＤＡ１４とを含む。ここで、座標を示すデータ領域ＤＡ１２には、部分画像の中心座標の値が書き込まれる。また、時刻を示すデータ領域には、画像処理エンジン１８０のタイマ１８２から取得した時刻情報が書き込まれる。さらに、画像を示すデータ領域には、画像処理エンジン１８０により処理がされた後の画像データ（つまり、スキャンデータ）が書き込まれる。
【０１１５】
図１０は、指９００をスキャンすることにより得られた画像（つまり、スキャン画像）を示した図である。図１０を参照して、太実線で囲まれた領域Ｗ１の画像が全体画像であり、破線で囲まれた領域Ｐ１の画像が部分画像である。また、太線で示した十字の中心点Ｃ１が、中心座標となる。
【０１１６】
本実施の形態では、矩形の領域であって、かつセンサ信号線ＳＳｊからの出力電圧が予め定められた値以上となった光センサ回路が備えられた画素（つまり、予め定められた階調または予め定められた輝度以上の画素）全てを含む領域を、部分画像の領域としている。
【０１１７】
また、中心座標は、部分画像の領域における各画素の階調を考慮して決定される座標である。具体的には、中心座標は、部分画像内の各画素に関し、画素の階調と、当該画素と上記矩形の中心点（つまり図心）との距離とに基づき、重み付け処理を行うことにより決定される。つまり、中心座標は、部分画像の図心とは必ずしも一致しない。
【０１１８】
ただし、必ずしも中心座標の位置は上記に限定されるものではなく、中心座標を上記図心の座標あるいは図心の近傍の座標としてもよい。
【０１１９】
センシングコマンドのデータ種別を示すデータ領域に「００１」が設定されている場合には、画像処理エンジン１８０は、座標を示すデータ領域ＤＡ１２に上記中心座標の値を書き込む。この場合、画像処理エンジン１８０は、画像を示すデータ領域ＤＡ１４には画像データを書き込まない。画像処理エンジン１８０は、上記中心座標の値の書き込みを行なった後、当該中心座標の値を含む応答データを本体装置１０１に送る。このように、データ種別を示すデータ領域に「００１」が設定されている場合には、センシングコマンドは、画像データの出力を要求せずに、中心座標の値の出力を要求する。
【０１２０】
また、センシングコマンドのデータ種別を示すデータ領域に「０１０」が設定されている場合には、画像処理エンジン１８０は、画像を示すデータ領域ＤＡ１４に、スキャン結果が変化した部分画像の画像データを書き込む。この場合、画像処理エンジン１８０は、中心座標の値を座標を示すデータ領域ＤＡ１２に書き込まない。画像処理エンジン１８０は、上記スキャン結果が変化した部分画像の画像データの書き込みを行なった後、当該部分画像の画像データを含む応答データを本体装置１０１に送る。このように、データ種別を示すデータ領域に「０１０」が設定されている場合には、センシングコマンドは、中心座標の値の出力を要求せずに、スキャン結果が変化した部分画像の画像データの出力を要求する。
【０１２１】
なお、上記のように、スキャン結果が変化した部分画像のみの送信を要求する構成とした理由は、スキャンデータのうち部分画像の領域のスキャンデータが、当該領域以外のスキャンデータよりも重要度の高いデータであること、および、指９００などのスキャン対象物との接触状態により、スキャンデータのうち部分画像の領域に相当する領域のスキャンデータが変化しやすいことによる。
【０１２２】
また、センシングコマンドのデータ種別を示すデータ領域に「０１１」が設定されている場合には、画像処理エンジン１８０は、座標を示すデータ領域ＤＡ１２に中心座標の値を書き込むとともに、画像を示すデータ領域ＤＡ１４にスキャン結果が変化した部分画像の画像データを書き込む。その後、画像処理エンジン１８０は、当該中心座標の値と当該部分画像の画像データとを含む応答データを本体装置１０１に送る。このように、データ種別を示すデータ領域に「０１１」が設定されている場合には、センシングコマンドは、中心座標の値の出力と、スキャン結果が変化した部分画像の画像データの出力とを要求する。
【０１２３】
また、センシングコマンドのデータ種別を示すデータ領域に「１００」が設定されている場合には、画像処理エンジン１８０は、図９に示した応答データの画像を示すデータ領域ＤＡ１４に、全体画像の画像データを書き込む。この場合、画像処理エンジン１８０は、中心座標の値を座標を示すデータ領域ＤＡ１２に書き込まない。画像処理エンジン１８０は、上記全体画像の画像データの書き込みを行なった後、当該全体画像の画像データを含む応答データを本体装置１０１に送る。このように、データ種別を示すデータ領域に「１００」が設定されている場合には、センシングコマンドは、中心座標の値の出力を要求せずに、全体画像の画像データの出力を要求する。
【０１２４】
また、センシングコマンドのデータ種別を示すデータ領域に「１０１」が設定されている場合には、画像処理エンジン１８０は、座標を示すデータ領域ＤＡ１２に中心座標の値を書き込むとともに、画像を示すデータ領域ＤＡ１４に全体画像の画像データを書き込む。その後、画像処理エンジン１８０は、当該中心座標の値と当該全体画像の画像データとを含む応答データを本体装置１０１に送る。このように、データ種別を示すデータ領域に「１０１」が設定されている場合には、センシングコマンドは、中心座標の値の出力と、全体画像の画像データの出力とを要求する。
【０１２５】
＜スキャンの方法の変形例＞
次に、図６を参照して説明したスキャンの方法（つまり、反射像をスキャンする方法）とは異なるスキャンの方法について、図１１を参照して説明する。
【０１２６】
図１１は、スキャンの際にフォトダイオードが外光を受光する構成を示した断面図である。図１１を参照して、外光の一部は、指９００によって遮られる。それゆえ、指９００と接触している液晶パネル１４０の表面領域の下部に配されたフォトダイオードは、ほとんど外光を受光できない。また、指９００の影が形成された表面領域の下部に配されたフォトダイオードは、ある程度の外光を受光できるものの、影が形成されていない表面領域に比べると外光の受光量が少ない。
【０１２７】
ここで、バックライト１７９を、少なくともセンシング期間においては消灯させておくことにより、光センサ回路１４４は、液晶パネル１４０の表面に対する指９００の位置に応じた電圧をセンサ信号線ＳＳｊから出力することができる。このように、バックライト１７９を点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０１２８】
以上により、表示装置１０２は、指９００によって外光が遮られることにより得られる像（以下、影像とも称する）をスキャンすることができる。
【０１２９】
さらに、表示装置１０２を、バックライト１７９を点灯させてスキャンを行った後に、バックライト１７９を消灯させて再度スキャンを行う構成としてもよい。あるいは、表示装置１０２を、バックライト１７９を消灯させてスキャンを行った後に、バックライト１７９を点灯させて再度スキャンを行う構成としてもよい。
【０１３０】
この場合には、２つのスキャン方式を併用することになるため、２つのスキャンデータを得ることができる。それゆえ、一方のスキャン方式のみを用いてスキャンする場合に比べて、精度の高い結果を得ることができる。
【０１３１】
＜表示装置について＞
表示装置１０３の動作は、表示装置１０２の動作と同様、本体装置１０１からのコマンド（たとえば、センシングコマンド）に応じて制御される。表示装置１０３は表示装置１０２と同様な構成を有する。それゆえ、表示装置１０３が表示装置１０２と同じコマンドを本体装置１０１から受け付けた場合、表示装置１０３は表示装置１０２と同様の動作を行う。このため、表示装置１０３の構成や動作についての説明は繰り返さない。
【０１３２】
なお、本体装置１０１は、表示装置１０２と表示装置１０３とに対して、命令が異なるコマンドを送ることができる。この場合、表示装置１０２と表示装置１０３とは別々の動作を行う。また、本体装置１０１は、表示装置１０２および表示装置１０３のいずれかに対して、コマンドを送ってもよい。この場合、一方の表示装置のみがコマンドに応じた動作を行う。また、本体装置１０１が、表示装置１０２と表示装置１０３とに命令が同じコマンドを送ってもよい。この場合、表示装置１０２と表示装置１０３とは、同じ動作を行う。
【０１３３】
なお、表示装置１０２の液晶パネル１４０のサイズと表示装置１０３の液晶パネル２４０のサイズとは、同じであってもよいし又は異なっていてもよい。また、液晶パネル１４０の解像度と液晶パネル２４０の解像度とは、同じであってもよいし又は異なっていてもよい。
【０１３４】
上述したように、本実施の形態に係る電子機器１００の液晶パネル１４０，２４０は、光センサ内蔵型でなくてもよい。すなわち、本実施の形態に係る電子機器１００の液晶パネル１４０，２４０は、いずれも通常のタブレット機能を有したタッチパネルであってもよい。
【０１３５】
＜本実施の形態に係る電子機器１００の機能構成＞
以下では、図１、図２、図１２を参照して、本実施の形態に係る電子機器１００の機能構成について説明する。なお、図１２は、本実施の形態に係る電子機器１００の機能構成を示すブロック図である。
【０１３６】
本実施の形態に係る電子機器１００は、受付部１１１と、第１の判断部１１２と、第２の判断部１１３と、第３の判断部１１４と、第４の判断部１１５と、表示制御部１１６とを含む。また、電子機器１００は、図２にも示したように、ＲＡＭ１７１と、複数の光センサ回路１４４および複数の画素回路１４１とを含む第１の光センサ内蔵液晶パネル１４０（第１の表示パネル）と、複数の光センサ回路２４４および複数の画素回路２４１とを含む第２の光センサ内蔵液晶パネル２４０（第２の表示パネル）とを含む。
【０１３７】
なお、第１の表示パネルは、第１の光センサ内蔵液晶パネル１４０、画像処理エンジン１８０、内部ＩＦ１７８などを含む第１の表示装置１０２を示す概念であってもよい。そして、第２の表示パネルは、第２の光センサ内蔵液晶パネル２４０、画像処理エンジン２８０、内部ＩＦ２７８などを含む第２の表示装置１０３を示す概念であってもよい。
【０１３８】
まず、第１の表示パネル１４０の複数の光センサ回路１４４のそれぞれは、入射光を受光して、入射光に応じた電気信号を生成する。複数の光センサ回路１４４は全体として、画像処理エンジン１８０（図２）などを介して、入射光に対応する電気信号（画像データ）を受付部１１１に入力する。なお、複数の光センサ回路１４４は、図１１に示すようにバックライト１７９を消灯させた状態で、指やスタイラスペンの位置を読み取ってもよい。
【０１３９】
このように、本実施の形態に係る複数の光センサ回路１４４および画像処理エンジン１８０は全体として操作部を実現する。そして、操作部は、第１の表示パネル１４０を介して第１の表示パネル１４０上の位置を指定する位置指定命令を受け付ける。これによって、第１の表示パネル１４０は、第１の表示パネル１４０に表示されているオブジェクトを選択する選択命令を受け付けたり、オブジェクトを移動させる移動命令を受け付けたりすることができる。
【０１４０】
第１の表示パネル１４０の複数の画素回路１４１のそれぞれは、表示制御部１１６からの画像データやテキストデータに基づいて、すなわちＣＰＵ１１０からの出力信号に基づいて外部に可視光を発する。より詳細には、複数の画素回路１４１は全体として、画像処理エンジン１８０（図２）などを介して、表示制御部１１６からの画像データやテキストデータに基づいて、バックライト１７９からの光を利用しながらアイコンなどのオブジェクトやテキストなどを表示する。
【０１４１】
このように、本実施の形態に係る複数の画素回路１４１および画像処理エンジン１８０は全体として表示部を実現する。すなわち、表示部は、第１の表示パネル１４０にオブジェクトを表示させる。
【０１４２】
本実施の形態に係る操作部および表示部は第１の表示パネル１４０（第１の表示装置１０２）によって実現されているが、上述したように、操作部および表示部は通常のタッチパネル型の表示パネルによって実現されてもよい。なお、第２の表示パネル２４０（第２の表示装置１０３）の構成は、第１の表示パネル１４０（第１の表示装置１０２）の構成と実質的に同じであるため、ここでは説明を繰り返さない。
【０１４３】
受付部１１１と、第１の判断部１１２と、第２の判断部１１３と、第３の判断部１１４と、第４の判断部１１５と、表示制御部１１６とは、ＣＰＵ１１０などによって実現される機能である。より詳細には、ＣＰＵ１１０が有する各機能は、ＣＰＵ１１０がＲＡＭ１７１などに記憶される制御プログラムを実行して、図２に示される各ハードウェアを制御することによって実現される機能である。
【０１４４】
まず、受付部１１１は、複数の光センサ回路１４４から画像処理エンジン１８０を介して入力される電気信号（画像データ）に基づいて、第１の表示パネル１４０に入力されたオブジェクトの選択命令やオブジェクトの移動命令などを受け付ける。より詳細には、受付部１１１は、センシング時間毎に液晶パネル１４０の画像処理エンジン１８０から出力される画像データを取得して、当該画像データに基づいて選択命令や移動命令などを受け付ける。
【０１４５】
同様に、受付部１１１は、複数の光センサ回路２４４から画像処理エンジン２８０を介して入力される電気信号（画像データ）に基づいて、第２の表示パネル２４０に入力されたオブジェクトの選択命令やオブジェクトの移動命令などを受け付ける。より詳細には、受付部１１１は、センシング時間毎に液晶パネル２４０の画像処理エンジン２８０から出力される画像データを取得して、当該画像データに基づいて選択命令や移動命令などを受け付ける。
【０１４６】
受付部１１１は、画像処理エンジン１８０から出力された第１の画像データをＲＡＭ１７１に記憶してもよい。すなわち、受付部１１１は、ＲＡＭ１７１の第１の画像データを常時最新の画像データに更新してもよい。同様に、受付部１１１は、画像処理エンジン２８０から出力された第２の画像データをＲＡＭ１７１に記憶してもよい。すなわち、第２の受付部１１１は、ＲＡＭ１７１の第２の画像データを常時最新の画像データに更新してもよい。
【０１４７】
なお、受付部１１１は、ＣＰＵ１１０と第１の表示パネル１４０の複数の光センサ回路１４４と第２の表示パネル２４０の複数の光センサ回路２４４とによって実現される機能であってもよい。すなわち、受付部１１１は、ＣＰＵ１１０の一部の機能と第１の表示パネル１４０の受光機能と第２の表示パネル２４０の受光機能とを含む機能ブロックを示す概念であってもよい。
【０１４８】
このようにして、たとえば、受付部１１１は、指定位置Ｙとして、第１の表示パネル１４０から指９００あるいはスタイラスペンと第１の表示パネル１４０との接触位置（部分画像の中心座標など）を取得する。あるいは、受付部１１１は、指定位置Ｙとして、第２の表示パネル２４０から指９００あるいはスタイラスペンと第２の表示パネル２４０との接触位置を取得する。
【０１４９】
そして、受付部１１１は、第１の表示パネル１４０あるいは第２の表示パネル２４０から位置指定命令を受け付けると、指定位置Ｙを第１の判断部１１２と第２の判断部１１３と第４の判断部１１５とに受け渡す。
【０１５０】
第１の判断部１１２は、表示制御部１１６から第１の表示パネル１４０あるいは第２の表示パネル２４０が表示しているオブジェクトの表示エリア（表示範囲）を取得する。より詳細には、表示エリアは、オブジェクトの４隅の座標によって示されてもよいし、オブジェクトの左上座標と縦の長さ（ドット数）と横の長さとによって示されてもよいし、オブジェクトの中央の座標と縦の長さと横の長さとによって示されてもよい。
【０１５１】
そして、第１の判断部１１２は、指定位置Ｙが表示エリア内に位置するか否かを判断する。すなわち、第１の判断部１１２は、オブジェクトが選択されたか否かを判断する。第１の判断部１１２は、判断結果を第２の判断部１１３と表示制御部１１６とに受け渡す。
【０１５２】
第２の判断部１１３は、第１の表示パネル１４０において予め定められている第１のエリア１４０Ｚを示す第１の情報と、第２の表示パネル２４０において予め定められている第２のエリア２４０Ｚを示す第２の情報とを取得する。より詳細には、第１の情報とは、第１のエリア１４０Ｚの４隅の座標を含むものであってもよいし、第１のエリア１４０Ｚの左上座標と縦の長さ（ドット数）と横の長さとを含むものであってもよいし、第１のエリア１４０Ｚの中央の座標と縦の長さと横の長さを含むものであってもよい。
【０１５３】
そして、第２の判断部１１３は、指定位置Ｙが第１の表示パネル１４０において予め定められている第１のエリア１４０Ｚあるいは第２の表示パネル２４０において予め定められている第２のエリア２４０Ｚ内に位置するか否かを判断する。第２の判断部１１３は、判断結果を第３の判断部１１４と第４の判断部１１５と表示制御部１１６とに受け渡す。
【０１５４】
第３の判断部１１４は、オブジェクトの表示エリアが、第１の表示パネル１４０と第２の表示パネル２４０とにまたがっているか否かを判断する。たとえば、第３の判断部１１４は、オブジェクトの表示エリアの左上の座標が第１の表示パネル１４０内に位置するか否か、およびオブジェクトの表示エリアの左下の座標が第２の表示パネル２４０内に位置するか否かを判断する。そして第３の判断部１１４は、オブジェクトの表示エリアの左上の座標が第１の表示パネル１４０内に位置し、かつ、オブジェクトの表示エリアの左下の座標が第２の表示パネル２４０内に位置する場合に、オブジェクトが第１の表示パネル１４０と第２の表示パネル２４０とに亘って表示されていると判断する。
【０１５５】
第４の判断部１１５は、受付部１１１に位置指定命令が入力されているか否かを判断する。換言すれば、第４の判断部１１５は、第１の表示パネル１４０あるいは第２の表示パネル２４０からの位置指定命令が解除されたか否かを判断する。すなわち、第４の判断部１１５は、第１の表示パネル１４０あるいは第２の表示パネル２４０からの中心座標や画像データに基づいて、第１の表示パネル１４０あるいは第２の表示パネル２４０に指９００やスタイラスペンなどが接触しているか否かを判断する。より詳細には、本実施の形態に係る第４の判断部１１５は、第１の判断部１１２が指定位置Ｙがオブジェクトの表示エリア内であると判断し、かつ第２の判断部１１３が指定位置Ｙが第１のエリア１４０Ｚ内であると判断した場合に、ユーザからの位置指定命令が解除されたか否かを判断する。
【０１５６】
表示制御部１１６は、第１の表示パネル１４０および第２の表示パネル２４０に出力信号を出力し、第１の表示パネル１４０および第２の表示パネル２４０の少なくともいずれかにオブジェクトを表示させる。
【０１５７】
表示制御部１１６は、第１の判断部１１２が指定位置Ｙがオブジェクトの表示エリア内であると判断し、かつ第２の判断部１１３が指定位置Ｙが第１のエリア１４０Ｚ内であると判断した場合に、第２の表示パネル２４０にオブジェクトを表示し直す。すなわち、表示制御部１１６は、オブジェクトを、第１の表示パネル１４０から第２の表示パネル２４０へと移動させる。
【０１５８】
そして、本実施の形態に係る表示制御部１１６は、第３の判断部１１４がオブジェクトが第１の表示パネル１４０と第２の表示パネル２４０とに亘って表示されていると判断した場合に、オブジェクトを第２の表示パネル２４０に表示し直す。すなわち、本実施の形態に係る表示制御部１１６は、第１の判断部１１２が指定位置Ｙがオブジェクトの表示エリア内であると判断し、第２の判断部１１３が指定位置Ｙが第１のエリア１４０Ｚ内であると判断し、第３の判断部１１４がオブジェクトが第１の表示パネル１４０と第２の表示パネル２４０とに亘って表示されていると判断した場合に、オブジェクトを移動させる。
【０１５９】
ただし、表示制御部１１６は、たとえば、第１の判断部１１２が指定位置Ｙがオブジェクトの表示エリア内であると判断し、第３の判断部１１４がオブジェクトが第１の表示パネル１４０と第２の表示パネル２４０とに亘って表示されていると判断した場合に、オブジェクトを移動させてもよい。
【０１６０】
逆に、表示制御部１１６は、第１の判断部１１２が指定位置Ｙがオブジェクトの表示エリア内であると判断し、かつ第２の判断部１１３が指定位置Ｙが第２のエリア２４０Ｚ内であると判断した場合に、第１の表示パネル１４０にオブジェクトを表示し直す。すなわち、表示制御部１１６は、オブジェクトを、第２の表示パネル２４０から第１の表示パネル１４０へと移動させる。
【０１６１】
そして、本実施の形態に係る表示制御部１１６は、第３の判断部１１４がオブジェクトが第１の表示パネル１４０と第２の表示パネル２４０とに亘って表示されていると判断した場合に、オブジェクトを表示し直す。すなわち、本実施の形態に係る表示制御部１１６は、第１の判断部１１２が指定位置Ｙがオブジェクトの表示エリア内であると判断し、第２の判断部１１３が指定位置Ｙが第２のエリア２４０Ｚ内であると判断し、第３の判断部１１４がオブジェクトが第１の表示パネル１４０と第２の表示パネル２４０とに亘って表示されていると判断した場合に、オブジェクトを移動させる。
【０１６２】
ただし、表示制御部１１６は、たとえば、第１の判断部１１２が指定位置Ｙがオブジェクトの表示エリア内であると判断し、第３の判断部１１４がオブジェクトが第１の表示パネル１４０と第２の表示パネル２４０とに亘って表示されていると判断した場合に、オブジェクトを移動させてもよい。
【０１６３】
さらに、本実施の形態に係る表示制御部１１６は、第４の判断部１１５が指定位置Ｙの指定が解除されたと判断した場合に、オブジェクトを表示し直す。換言すれば、本実施の形態に係る表示制御部１１６は、一度オブジェクトが選択された後に、すなわちユーザの指９００が第１の表示パネル１４０あるいは第２の表示パネル２４０のいずれかに接触した後に、ユーザの指９００が第１の表示パネル１４０の第１のエリア１４０Ｚあるいは第２の表示パネル２４０の第２のエリア２４０Ｚから離れた場合に、オブジェクトを他方の表示パネルに表示し直す。
【０１６４】
＜第１の動作例＞
以下、図１および図１２を参照して、オブジェクトを第１の表示パネル１４０から第２の表示パネル２４０へと移動させる場合の、電子機器１００における動作概要を説明する。
【０１６５】
まず、図１（Ａ）に示すように、第１の表示パネル１４０にアイコンＸが表示されている状態において、ユーザの指９００がアイコンＸにタッチする。このとき、受付部１１１が、第１の表示パネル１４０からの画像データに基づいて位置指定命令を受け付ける。あるいは、受付部１１１は、第１の表示パネル１４０からの、指９００と第１の表示パネル１４０との接触部分の中心座標に基づいて位置指定命令を受け付ける。
【０１６６】
第１の判断部１１２は、表示制御部１１６からアイコンＸの表示エリアを取得して、位置指定命令に基づき、指定位置ＹがアイコンＸの表示エリア内であるか否かを判断する。第１の判断部１１２は、指定位置ＹがアイコンＸの表示エリア内であると判断すると、アイコンＸを選択状態にする。より詳細には、表示制御部１１６は、第１の判断部１１２による判断結果に基づいて、選択されたアイコンＸのカラーを他のアイコンとは異なる色に変更して、当該アイコンＸが選択状態であることを外部に知らしめる。
【０１６７】
第２の判断部１１３は、アイコンＸを選択した指９００が、第１の表示パネル１４０に定められた第１のエリア１４０Ｚ内に位置したか否かを判断する。すなわち、第２の判断部１１３は、指定位置Ｙが第１のエリア１４０Ｚ内に位置したか否かを判断する。指定位置Ｙが第１のエリア１４０Ｚ内に位置しない場合、第３の判断部１１４は機能せず、アイコンＸは第２の表示パネル２４０へ移動しない。
【０１６８】
そして、図１（Ｂ）に示すように、ユーザが、指９００を第１の表示パネル１４０から離すことなく、アイコンＸを第２の表示パネル２４０の方向（下方向）へと移動させる（ドラッグする）。受付部１１１は、第１の表示パネル２４０から順次送られてくる複数の画像データの変化あるいは中心座標の変化に基づいて、アイコンＸの移動命令を受け付ける。
【０１６９】
第２の判断部１１３は、アイコンＸを選択した指９００が、第１の表示パネル１４０に定められた第１のエリア１４０Ｚ（第１の表示パネル１４０の下部）内に位置したか否かを判断する。すなわち、第２の判断部１１３は、指定位置Ｙが第１のエリア１４０Ｚ内に位置したか否かを判断する。第３の判断部１１４は、指定位置Ｙが第１のエリア１４０Ｚ内に位置した場合、アイコンＸが第１の表示パネル１４０と第２の表示パネル２４０とに亘って表示されているか否かを判断する。
【０１７０】
アイコンＸが第１の表示パネル１４０と第２の表示パネル２４０とに亘って表示されている場合、図１（Ｃ）に示すように、表示制御部１１６は、アイコンＸを第２の表示パネル２４０に表示し直す。すなわち、表示制御部１１６は、アイコンＸを第１の表示パネル１４０から第２の表示パネル２４０へと移動させる。
【０１７１】
なお、アイコンＸが第１の表示パネル１４０と第２の表示パネル２４０とに亘って表示されている場合に、第４の判断部１１５が、位置指定命令が解除されか否かを判断してもよい。そして、位置指定命令が解除された場合に、表示制御部１１６が、アイコンＸを第２の表示パネル２４０に表示し直してもよい。
【０１７２】
＜第２の動作例＞
以下、図１２および図１３を参照して、オブジェクトを第２の表示パネル２４０から第１の表示パネル１４０へと移動させる場合の、電子機器１００における動作概要を説明する。図１３は、本実施の形態に係る電子機器１００の動作概要を示す第２の概略図である。
【０１７３】
まず、図１３（Ａ）に示すように、第２の表示パネル２４０にアイコンＸが表示されている状態において、ユーザの指９００がアイコンＸにタッチする。受付部１１１は、第２の表示パネル２４０からの画像データあるいは中心座標に基づいて位置指定命令を受け付ける。
【０１７４】
第１の判断部１１２は、指定位置Ｙ（第２の位置）がアイコンＸの表示エリア内であるか否かを判断する。第１の判断部１１２は、指定位置ＹがアイコンＸの表示エリア内である判断すると、アイコンＸを選択状態にする。より詳細には、表示制御部１１６は、第１の判断部１１２による判断結果に基づいて、選択されたアイコンＸのカラーを他のアイコンとは異なる色に変更して、当該アイコンＸが選択状態であることを外部に知らしめる。
【０１７５】
第２の判断部１１３は、アイコンＸを選択した指９００が、第２の表示パネル２４０に定められた第２のエリア２４０Ｚ内に位置したか否かを判断する。すなわち、第２の判断部１１３は、指定位置Ｙが第２のエリア２４０Ｚ内に位置したか否かを判断する。指定位置Ｙが第２のエリア２４０Ｚ内に位置しない場合、第３の判断部１１４は機能せず、アイコンＸは第１の表示パネル２４０へ移動しない。
【０１７６】
そして、図１３（Ｂ）に示すように、ユーザが、指９００を第２の表示パネル２４０から離すことなく、アイコンＸを第１の表示パネル１４０の方向（上方向）へと移動させる（ドラッグする）。受付部１１１は、第２の表示パネル２４０から順次送られてくる複数の画像データの変化あるいは中心座標の変化に基づいて、アイコンＸの移動命令を受け付ける。
【０１７７】
第２の判断部１１３は、アイコンＸを選択した指９００が、第２の表示パネル２４０に定められた第２のエリア２４０Ｚ（第２の表示パネル２４０の上部）内に位置したか否かを判断する。すなわち、第２の判断部１１３は、指定位置Ｙが第２のエリア２４０Ｚ内に位置したか否かを判断する。第３の判断部１１４は、指定位置Ｙが第２のエリア２４０Ｚ内に位置した場合、アイコンＸが第１の表示パネル１４０と第２の表示パネル２４０とに亘って表示されているか否かを判断する。
【０１７８】
アイコンＸが第１の表示パネル１４０と第２の表示パネル２４０とに亘って表示されている場合、図１３（Ｃ）に示すように、表示制御部１１６は、アイコンＸを第１の表示パネル１４０に表示し直す。すなわち、表示制御部１１６は、アイコンＸを第２の表示パネル２４０から第１の表示パネル１４０へと移動させる。
【０１７９】
なお、アイコンＸが第１の表示パネル１４０と第２の表示パネル２４０とに亘って表示されている場合、第４の判断部１１５が、指定位置Ｙが解除されか否かを判断してもよい。そして、指定位置Ｙが解除された場合に、表示制御部１１６が、アイコンＸを第１の表示パネル１４０に表示し直してもよい。
【０１８０】
＜第３の動作例＞
以下、図１２および図１４を参照して、表示パネルを越えてオブジェクトを移動させない場合の、電子機器１００における動作概要を説明する。図１４は、本実施の形態に係る電子機器１００の動作概要を示す第３の概略図である。
【０１８１】
まず、図１４（Ａ）に示すように、第１の表示パネル１４０にアイコンＸが表示されている状態において、ユーザの指９００がアイコンＸにタッチする。このとき、受付部１１１が、第１の表示パネル１４０からの画像データあるいは中心座標に基づいて位置指定命令を受け付ける。
【０１８２】
第１の判断部１１２は、表示制御部１１６からアイコンＸの表示エリアを取得して、位置指定命令に基づき、指定位置ＹがアイコンＸの表示エリア内であるか否かを判断する。第１の判断部１１２は、指定位置ＹがアイコンＸの表示エリア内であると判断すると、アイコンＸを選択状態にする。より詳細には、表示制御部１１６は、第１の判断部１１２による判断結果に基づいて、選択されたアイコンＸのカラーを他のアイコンとは異なる色に変更して、当該アイコンＸが選択状態であることを外部に知らしめる。
【０１８３】
第２の判断部１１３は、アイコンＸを選択した指９００が、第１の表示パネル１４０に定められた第１のエリア１４０Ｚ内に位置したか否かを判断する。すなわち、第２の判断部１１３は、指定位置Ｙが第１のエリア１４０Ｚ内に位置したか否かを判断する。指定位置Ｙが第１のエリア１４０Ｚ内に位置しない場合、第３の判断部１１４は機能せず、アイコンＸは第２の表示パネル２４０へ移動しない。
【０１８４】
そして、図１４（Ｂ）に示すように、ユーザが、指９００を第１の表示パネル１４０から離すことなく、アイコンＸを第２の表示パネル２４０の方向（下方向）へと移動させる（ドラッグする）。受付部１１１は、第１の表示パネル２４０から順次送られてくる複数の画像データの変化あるいは中心座標の変化に基づいて、アイコンＸの移動命令を受け付ける。
【０１８５】
第２の判断部１１３は、アイコンＸを選択した指９００が、第１の表示パネル１４０に定められた第１のエリア１４０Ｚ内に位置したか否かを判断する。すなわち、第２の判断部１１３は、指定位置Ｙが第１のエリア１４０Ｚ内に位置したか否かを判断する。ここでは、指定位置Ｙが第１のエリア１４０Ｚ内に位置しないため、第３の判断部１１４は機能せず、アイコンＸは第２の表示パネル２４０へ移動しない。
【０１８６】
図１４（Ｃ）に示すように、ユーザが、指９００を第１の表示パネル１４０から離すことなく、アイコンＸを上方向へと移動させる（ドラッグする）。受付部１１１は、第１の表示パネル２４０から順次送られてくる複数の画像データの変化あるいは中心座標の変化に基づいて、アイコンＸの移動命令を受け付ける。第２の判断部１１３は、アイコンＸを選択した指９００が、第１の表示パネル１４０に定められた第１のエリア１４０Ｚ内に位置したか否かを判断する。
【０１８７】
すなわち、本実施の形態に係る第２の判断部１１３は、アイコンＸが移動させられる度に、指定位置ＹがアイコンＸが表示されている側の所定エリア、すなわち第１の表示パネル１４０の第１のエリア１４０Ｚ内に位置するか否かを判断する。ここでも、指定位置Ｙが第１の表示パネル１４０の第１のエリア１４０Ｚに位置しない場合、第３の判断部１１４は機能せず、アイコンＸは第２の表示パネル２４０へ移動しない。
【０１８８】
＜第４の動作例＞
以下、図１２および図１５を参照して、オブジェクトを第１の表示パネル１４０から第２の表示パネル２４０へと移動させる場合の、電子機器１００における動作概要を説明する。図１５は、本実施の形態に係る電子機器１００の動作概要を示す第４の概略図である。
【０１８９】
まず、図１５（Ａ）に示すように、第１の表示パネル１４０および第２の表示パネル２４０にアイコンＸが表示されている。すなわち、アイコンＸが第１の表示パネル１４０と第２の表示パネル２４０とに亘って表示されている。
【０１９０】
図１５（Ｂ）に示すように、この状態において、ユーザの指９００がアイコンＸにタッチする。このとき、受付部１１１が、第１の表示パネル１４０からの画像データあるいは中心座標に基づいて位置指定命令を受け付ける。
【０１９１】
第１の判断部１１２は、表示制御部１１６からアイコンＸの表示エリアを取得して、位置指定命令に基づき、指定位置ＹがアイコンＸの表示エリア内であるか否かを判断する。第１の判断部１１２は、指定位置ＹがアイコンＸの表示エリア内であると判断すると、アイコンＸを選択状態にする。より詳細には、表示制御部１１６は、第１の判断部１１２による判断結果に基づいて、選択されたアイコンＸのカラーを他のアイコンとは異なる色に変更して、当該アイコンＸが選択状態であることを外部に知らしめる。
【０１９２】
第２の判断部１１３は、アイコンＸを選択した指９００が、第１の表示パネル１４０に定められた第１のエリア１４０Ｚ内に位置したか否かを判断する。すなわち、第２の判断部１１３は、指定位置Ｙが第１のエリア１４０Ｚ内に位置したか否かを判断する。ここでは、指定位置Ｙが第１のエリア１４０Ｚ内に位置するため、第３の判断部１１４が、アイコンＸが第１の表示パネル１４０と第２の表示パネル２４０とに亘って表示されているか否かを判断する。
【０１９３】
アイコンＸが第１の表示パネル１４０と第２の表示パネル２４０とに亘って表示されている場合、図１５（Ｃ）に示すように、表示制御部１１６は、アイコンＸを第２の表示パネル２４０に表示し直す。すなわち、表示制御部１１６は、アイコンＸを第１の表示パネル１４０から第２の表示パネル２４０へと移動させる。
【０１９４】
なお、アイコンＸが第１の表示パネル１４０と第２の表示パネル２４０とに亘って表示されている場合、第４の判断部１１５が、位置指定命令が解除されか否かを判断してもよい。そして、位置指定命令が解除された場合に、表示制御部１１６が、アイコンＸを第２の表示パネル２４０に表示し直してもよい。
【０１９５】
＜本実施の形態に係るオブジェクト表示処理＞
次に、図１、図２、図１２、図１６を参照して、本実施の形態に係る電子機器１００におけるオブジェクト表示処理について説明する。なお、図１６は、本実施の形態に係る電子機器１００におけるオブジェクト表示処理の処理手順を示すイメージ図である。以下では、予め第１の表示パネル１４０に表示されているアイコンＸなどのオブジェクトを第２の表示パネル２４０に移動させる場合について説明する。
【０１９６】
まず、第１の表示パネル１４０に含まれる複数の光センサ回路１４４は、常時、入射光に応じて電気信号を生成する。光センサ回路１４４のそれぞれは、画像処理エンジン１８０を介して生成した画像データをＣＰＵ１１０に入力する。すなわち、受付部１１１として機能するＣＰＵ１１０は、複数の光センサ回路１４４からの電気信号を、画像処理エンジン１８０を介して画像データとして受け付ける（ステップＳ１０２）。換言すれば、ＣＰＵ１１０は、画像処理エンジン１８０から常時画像データを取得する。
【０１９７】
ＣＰＵ１１０は、前回ＲＡＭ１７１に記憶された画像データと今回生成された画像データとを比較することによって、画像データに変化があったか否かを判断する（ステップＳ１０４）。画像データに変化がない場合（ステップＳ１０４にてＮＯである場合）、ＣＰＵ１１０は、ステップＳ１０２からの処理を繰り返す。
【０１９８】
画像データに変化があった場合（ステップＳにてＹＥＳである場合）、第１の判断部１１２として機能するＣＰＵ１１０は、ユーザが指９００などを介して第１の表示パネル１４０に表示されているオブジェクトを選択したか否かを判断する（ステップＳ１０６）。より詳細には、ＣＰＵ１１０は、画像データに基づいて、指９００の位置指定命令を取得する。ＣＰＵ１１０は、指定位置Ｙがオブジェクトの表示エリア内に位置するか否かを判断する。このようにして、ＣＰＵ１１０は、ユーザがオブジェクトを選択していないと判断した場合（ステップＳ１０６にてＮＯである場合）、ステップＳ１０２からの処理を繰り返す。
【０１９９】
一方、ユーザがオブジェクトを選択したと判断した場合（ステップＳ１０６にてＹＥＳである場合）、第２の判断部１１３として機能するＣＰＵ１１０は、指定位置Ｙが第１のエリア１４０Ｚ内に位置しているか否かを判断する（ステップＳ１０８）。指定位置Ｙが第１の表示パネル１４０の第１のエリア１４０Ｚ内に位置していない場合（ステップＳ１０８にてＮＯである場合）、ＣＰＵ１１０はステップＳ１０２からの処理を繰り返す。
【０２００】
一方、指定位置Ｙが第１の表示パネル１４０の第１のエリア１４０Ｚ内に位置している場合（ステップＳ１０８にてＹＥＳである場合）、第３の判断部１１４として機能するＣＰＵ１１０は、オブジェクトを第１の表示パネル１４０と第２の表示パネル２４０とに亘って表示させているか否かを判断する（ステップＳ１１０）。ＣＰＵ１１０は、オブジェクトを第１の表示パネル１４０と第２の表示パネル２４０とに亘って表示させていない場合（ステップＳ１１０にてＮＯである場合）、ステップＳ１０２からの処理を繰り返す。
【０２０１】
一方、第４の判断部１１５として機能するＣＰＵ１１０は、オブジェクトを第１の表示パネル１４０と第２の表示パネル２４０とに亘って表示させている場合（ステップＳ１１０にてＹＥＳである場合）、オブジェクトの選択が解除されたか否かを判断する（ステップＳ１１２）。すなわち、ＣＰＵ１１０は、第１の表示パネル１４０を介して位置指定命令を受け付けなくなったか否かを判断する。オブジェクトの選択が解除されない場合（ステップＳ１１２にてＮＯである場合）、ＣＰＵ１１０は、ステップＳ１１０からの処理を繰り返す。
【０２０２】
一方、オブジェクトの選択が解除された場合（ステップＳ１１２にてＹＥＳである場合）、表示制御部１１６として機能するＣＰＵ１１０はオブジェクトを第２の表示パネル２４０の中心位置に表示し直す（ステップＳ１１４）。すなわち、ＣＰＵ１１０は、オブジェクトを第２の表示パネル２４０へと移動させる。
【０２０３】
＜その他の実施の形態＞
本発明は、システム或いは装置にプログラムを供給することによって達成される場合にも適用できることはいうまでもない。そして、本発明を達成するためのソフトウェアによって表されるプログラムを格納した記憶媒体を、システム或いは装置に供給し、そのシステム或いは装置のコンピュータ（又はＣＰＵやＭＰＵ）が記憶媒体に格納されたプログラムコードを読出し実行することによっても、本発明の効果を享受することが可能となる。
【０２０４】
この場合、記憶媒体から読出されたプログラムコード自体が前述した実施の形態の機能を実現することになり、そのプログラムコードを記憶した記憶媒体は本発明を構成することになる。
【０２０５】
プログラムコードを供給するための記憶媒体としては、例えば、ハードディスク、光ディスク、光磁気ディスク、ＣＤ−ＲＯＭ、ＣＤ−Ｒ、磁気テープ、不揮発性のメモリカード（ＩＣメモリカード）、ＲＯＭ（マスクＲＯＭ、フラッシュＥＥＰＲＯＭなど）などを用いることができる。
【０２０６】
また、コンピュータが読出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部または全部を行い、その処理によって前述した実施の形態の機能が実現される場合も含まれることは言うまでもない。
【０２０７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も含まれることは言うまでもない。
【０２０８】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０２０９】
【図１】本実施の形態に係る電子機器の動作概要を示す第１の概略図である。
【図２】電子機器のハードウェア構成を表わすブロック図である。
【図３】液晶パネルの構成と当該液晶パネルの周辺回路とを示した図である。
【図４】液晶パネルとバックライトとの断面図である。
【図５】光センサ回路を動作させる際のタイミングチャートを示した図である。
【図６】スキャンの際にフォトダイオードがバックライトからの光を受光する構成を示した断面図である。
【図７】センシングコマンドの概略構成を示した図である。
【図８】センシングコマンドの各領域におけるデータの値と当該値が示す意味内容とを示した図である。
【図９】応答データの概略構成を示した図である。
【図１０】指をスキャンすることにより得られた画像を示した図である。
【図１１】スキャンの際にフォトダイオードが外光を受光する構成を示した断面図である。
【図１２】本実施の形態に係る電子機器の機能構成を示すブロック図である。
【図１３】本実施の形態に係る電子機器の動作概要を示す第２の概略図である。
【図１４】本実施の形態に係る電子機器の動作概要を示す第３の概略図である。
【図１５】本実施の形態に係る電子機器の動作概要を示す第４の概略図である。
【図１６】本実施の形態に係る電子機器におけるオブジェクト表示処理の処理手順を示すイメージ図である。
【符号の説明】
【０２１０】
１００  電子機器、１０１  本体装置、１０２，１０３  表示装置、１１０  ＣＰＵ、１１１  受付部、１１２  第１の判断部、１１３  第２の判断部、１１４  第３の判断部、１１５  第４の判断部、１１６  表示制御部、１３０  ドライバ、１３１  走査信号線駆動回路、１３２  データ信号線駆動回路、１３３  光センサ駆動回路、１３４  スイッチ、１３５  アンプ、１４０  第１の光センサ内蔵液晶パネル（第１の表示パネル）、１４１，２４１  画素回路、１４１ｂ，１４１ｇ，１４１ｒ  サブピクセル回路、１４３  電極対、１４３ａ  画素電極、１４３ｂ  対向電極、１４４，２４４  光センサ回路、１４５，１４５ｂ，１４５ｇ，１４５ｒ  フォトダイオード、１４６  コンデンサ、１５１Ａ  アクティブマトリクス基板、１５１Ｂ  対向基板、１５２  液晶層、１５３ｂ，１５３ｇ，１５３ｒ  カラーフィルタ、１５７  データ信号線、１６１  偏光フィルタ、１６２  ガラス基板、１６３  遮光膜、１６４  配向膜、１７１  ＲＡＭ、１７３  メモリカードリーダライタ、１７４  通信装置、１７５  マイク、１７６  スピーカ、１７７  操作キー、１７９  バックライト、１８０  画像処理エンジン、１８１  ドライバ制御部、１８２  タイマ、１８３  信号処理部、２４０  第２の光センサ内蔵液晶パネル（第２の表示パネル）、１７３１  メモリカード、ＤＢ１，ＤＢ２  データバス。
【図１】
2010129051.tif 000003
【図２】
2010129051.tif 000004
【図３】
2010129051.tif 000005
【図４】
2010129051.tif 000006
【図５】
2010129051.tif 000007
【図６】
2010129051.tif 000008
【図７】
2010129051.tif 000009
【図８】
2010129051.tif 000010
【図９】
2010129051.tif 000011
【図１０】
2010129051.tif 000012
【図１１】
2010129051.tif 000013
【図１２】
2010129051.tif 000014
【図１３】
2010129051.tif 000015
【図１４】
2010129051.tif 000016
【図１５】
2010129051.tif 000017
【図１６】
2010129051.tif 000018